(57)【特許請求の範囲】
【請求項１】
軸筒の前方にペン芯およびペン先を装着し、前方開口部が前記ペン芯と連通するよう前記軸筒内に形成したインキ収容部の内部に、当該インキ収容部の内側面に対して摺動する移動弁部材を配し、前記インキ収容部の後方に露出させた操作部材を回転操作することにより、前記移動弁部材に連結し且つ外面に前記操作部材の雌螺子部に噛み合う雄螺子部を設けた押棒を介して該移動弁部材を前後動させ、前記インキ収容部の内部にインキを吸入する構造のインキ吸入機構付き万年筆であって、前記インキ収容部の内部における前記前方開口部の周縁となる前方内面に、当該インキ収容部の後方側へ向かって円環状に突出するよう形成した円環壁部を設けて前記インキ収容部の内側面と前記円環壁部との間に溝部を形成し、前記移動弁部材の前方または前記円環壁部の後方の一部を突出させ、且つ当該移動弁部材の前端を当該円環壁部の後方へ当接させることにより、前記移動弁部材を前進させた際に当該移動弁部材と当該円環壁部との間に前記溝部と連通する隙間部を形成して、前記溝部に残ったインキを前記隙間部からペン芯側へ排出するインキ排出路を構成することを特徴としたインキ吸入機構付き万年筆。
【請求項２】
前記移動弁部材の前方部または前記円環壁部の後方部に複数の突出部を設けることにより前記隙間部を形成することを特徴とした請求項１に記載のインキ吸入機構付き万年筆。
【請求項３】
前記移動弁部材の前方部または前記円環壁部の後方部を傾斜させることにより前記隙間部を形成することを特徴とした請求項１に記載のインキ吸入機構付き万年筆。
【発明の詳細な説明】
【技術分野】
【０００１】
本発明はインキ吸入機構付きの万年筆に関し、さらに詳細には、インキ収容部の内部に摺動可能に配した移動弁部材を、インキ収容部の外部に露出させた操作部材を回転操作することにより、移動弁部材に連結し且つ外面に操作部材の雌螺子部に噛み合う雄螺子部を設けた押棒を介して前後動させて、インキ収容部の内部にインキを吸入する構造のインキ吸入機構付き万年筆に関する。
【背景技術】
【０００２】
従来より、インキ収容部にインキを吸入する手段として、例えば特開２００２−３３１７９０号公報にも開示されているように、操作部材を回転操作することでインキ収容部の内部に配した移動弁部材を前後動させ、インキ収容部内にインキの吸入を行う構造のインキ吸入機構はよく知られている。この様なインキ吸入機構を用いた万年筆を図で説明すると、図１３に示すように、万年筆１００の軸筒２には、インキ吸入機構５０を設けてあり、インキ吸入機構５０の操作部材９０を回転操作することにより、操作部材９０に設けた雌螺子部９０ａで押棒８０に設けた雄螺子部８０ａを前進させて、押棒８０と共に移動弁部材７０を前進させ、前進した状態の移動弁部材７０を操作部材９０の逆回転で後退させることにより、インキ収容部６０内に負圧を発生させ、インキ瓶に入れたペン芯２０からインキを吸入させる構造である。尚、図１３の仮想線で示すように、移動弁部材７０は、移動弁部材７０の弁としての気密性を確保させる外側部７０ａが、インキ収容部６０の内面に形成した突起６０ａに当接することで、移動弁部材７０および押棒８０の前進を規制させる構造としてある。
【０００３】
ところで、前述の従来構造のインキ吸入機構付き万年筆１００では、移動弁部材７０において気密性を向上させるために弾力性を付与した外側部７０ａが、インキ収容部６０の突起６０ａに当接することによって、経時的に移動弁部材７０の外側部７０ａが劣化してしまい、弁としての機密性を損なう虞があった。さらに突起６０ａの存在により、移動弁部材７０の前進をインキ収容部６０の途中で規制する構造のため、図１３で示すところのＬの分だけインキが吸入できなくなり、インキ吸入量が少なくなってしまうという問題があった。さらに、図１４および図１５に示すように、インキ収容部６０にインキ４０を収容した状態でペン先２１を上方に向けた図１４の状態から、ペン先２１を下に向けた図１５の状態にする際に、インキ収容部６０内のインキ４０が、インキ収容部６０の内側面の中間部に形成した円環状の突起６０ａに当たることで、図１４に示すようにインキ４０がペン芯２０側へ行かずに、インキ収容部６０の後ろ側にとどまってしまう場合があった。この様に図１４の状態になってしまうと、ペン芯２０にインキ４０が到達せずに、筆記の書き出しに不具合を発生させていた。また筆記時において、インキ４０の減少に伴ってペン芯２０からインキ収容部６０内に入ってくる気泡が、円環状の突起６０ａに接触することで、気泡がインキ収容部６０の後方へ行かずに突起６０ａで溜まって大きくなってしまい、インキ４０の流出を阻害してしまう場合があった。
【０００４】
尚、図１６に示す万年筆２００は、図１３に示した万年筆１００とは異なり、インキ収容部６０に突起６０ａを設けるのではなく、軸筒２およびペン芯２０の一部を前方へ凹ますようにして形成した凹部２０ａに、移動弁部材７０の前方部７０ｂが入るようにして、移動弁部材７０の外側部７０ａを軸筒２やペン芯２０の内面に当接させて、移動弁部材７０および押棒８０の前進を規制させる構造のものであり、当該構造においては、移動弁部材の前進を規制する突起によるインキの移動を阻害したりインキの流出を阻害する悪さがないものの、やはり、移動弁部材７０において気密性を向上させるために弾力性を付与した外側部７０ａが、軸筒２やペン芯２０に当接することにより、経時的に移動弁部材７０の外側部７０ａが劣化して、弁としての機密性を損なう虞があった。また、図１６において仮想線で示したように、移動弁部材７０がインキ収容部６０の前方まで移動する構造としたために、インキ収容部６０の内面に移動弁部材７０の滑りをよくするために塗布したグリスやオイルなどの潤滑剤（図示せず）が、移動弁部材７０が前進することでペン芯２０内に入り込んでインキ流出不良を起こしたり、経時的に潤滑剤がなくなってインキ収容部６０の内面に対する移動弁部材７０の滑りが悪くなってしまう場合があった。
【先行技術文献】
【特許文献】
【０００５】
【特許文献１】特開２００２−３３１７９０号公報
【発明の概要】
【発明が解決しようとする課題】
【０００６】
本発明はこうした問題点を解消するために、移動弁部材の劣化による気密性の低下を防ぎ、またインキ収容部内のインキの移動やインキの流出を滑らかにすることが可能であり、且つインキ収容部の内側面に塗布した潤滑剤がペン芯に入り込むことを防止できる構造のインキ吸入機構付き万年筆を得ることを目的とした。
【課題を解決するための手段】
【０００７】
本発明は、
「１．軸筒の前方にペン芯およびペン先を装着し、前方開口部が前記ペン芯と連通するよう前記軸筒内に形成したインキ収容部の内部に、当該インキ収容部の内側面に対して摺動する移動弁部材を配し、前記インキ収容部の後方に露出させた操作部材を回転操作することにより、前記移動弁部材に連結し且つ外面に前記操作部材の雌螺子部に噛み合う雄螺子部を設けた押棒を介して該移動弁部材を前後動させ、前記インキ収容部の内部にインキを吸入する構造のインキ吸入機構付き万年筆であって、前記インキ収容部の内部における前記前方開口部の周縁となる前方内面に、当該インキ収容部の後方側へ向かって円環状に突出するよう形成した円環壁部を設けて前記インキ収容部の内側面と前記円環壁部との間に溝部を形成し、前記移動弁部材の前方または前記円環壁部の後方の一部を突出させ、且つ当該移動弁部材の前端を当該円環壁部の後方へ当接させることにより、前記移動弁部材を前進させた際に当該移動弁部材と当該円環壁部との間に前記溝部と連通する隙間部を形成して、前記溝部に残ったインキを前記隙間部からペン芯側へ排出するインキ排出路を構成することを特徴としたインキ吸入機構付き万年筆。
２．前記移動弁部材の前方部または前記円環壁部の後方部に複数の突出部を設けることにより前記隙間部を形成することを特徴とした１項に記載のインキ吸入機構付き万年筆。
３．前記移動弁部材の前方部または前記円環壁部の後方部を傾斜させることにより前記隙間部を形成することを特徴とした１項に記載のインキ吸入機構付き万年筆。」である。
【０００８】
インキ収容部の前面に形成する溝部は、インキ収容部の内側面に塗布した潤滑剤の量を収容できる容積に設定することが肝要である。
【発明の効果】
【０００９】
本発明のインキ吸入機構付き万年筆は、移動弁部材の前端を円環壁部の後方へ当接させて当該移動弁部材の前進を規制する構造であるため、インキ収容部との気密を取る移動弁部材の外側部が劣化してしまうことがない。また、インキ収容部の内側面に塗布した潤滑剤が移動弁部材の前進によってインキ収容部の前方に寄ってしまった場合でも、インキ収容部の前方に形成した溝部に潤滑剤を一時的に溜めておくことができ、インキを吸入して移動弁部材がインキ収容部の後方に後退した状態において、前に寄った潤滑剤が徐々にインキ収容部の内側面に戻ることができるので、潤滑剤がペン芯内に入り込むことによるインキ流出不良を起こすことがなく、また潤滑剤不足による移動弁部材の摺動性の悪化を防ぎ、さらに移動弁部材がゴム又はエラストマーなどの軟質材で成形されており、円環壁部との当接により移動弁部材が弾性変形を起こしたとしても、溝部に溜まったインキがインキ排出路からペン芯側へ排出できるので、移動弁部材の後方にインキが移動してインキ収容部の内面を汚すことなく、例えば軸筒を透明な樹脂で成形して移動弁部材やインキなど内部が見える構造の万年筆においても適したものとなった。
【図面の簡単な説明】
【００１０】
【図１】図１は、第一の実施例のインキ吸入機構付き万年筆でインキ吸入する前の状態を示す図である。
【図２】図２は、図１の要部断面図である。
【図３】図３は、図１のＫ−Ｋ線断面拡大図である。
【図４】図４は、図２の状態を後方から見た時の概念図である。
【図５】図５は、移動弁部材が前進した状態を示す要部断面図である。
【図６】図６は、図５の状態を後方から見た時の概念図である。
【図７】図７は、比較例の図である。
【図８】図８は、比較例の経時的な変化を示す図である。
【図９】図９は、第二の実施例の要部拡大図である。
【図１０】図１０は、第二の実施例で移動弁部材がインキ収容部の前方部に当接した状態の図である。
【図１１】図１１は、第三の実施例の要部拡大図である。
【図１２】図１２は、第三の実施例で移動弁部材がインキ収容部の前方部に当接した状態の図である。
【図１３】図１３は、従来のインキ吸入機構付き万年筆である。
【図１４】図１４は、従来のインキ吸入機構付き万年筆で、インキ収容部にインキを収容してペン先を上方に向けた状態の図である。
【図１５】図１５は、従来のインキ吸入機構付き万年筆で、インキ収容部にインキを収容してペン先を上方に向けた状態から、ペン先を下方に向けた状態の図である。
【図１６】図１６は、他の従来のインキ吸入機構付き万年筆である。
【発明を実施するための形態】
【００１１】
次に、図面を参照しながら説明を行うが、本発明は以下の実施例に限定されるものではない。また図中の同じ部材、同じ部品については、同じ符号としてある。
【実施例１】
【００１２】
図１〜図３を用いて、本実施例のインキ吸入機構付き万年筆について簡単に説明を行う。万年筆１は、軸筒２の前方にペン芯２０を具備したペン先２１を配設してあり、軸筒２は軸筒前方部材３と連結部材４と軸筒後方部材５とで構成し、内部にインキ吸入機構６を設けてある。インキ吸入機構６は、透明樹脂で成形した軸筒前方部材３の内部にインキ収容部７を設け、インキ収容部７の内部に前後動可能とする軟質なエラストマーで成形した移動弁部材８を配設してあり、移動弁部材８に形成した装着孔８ａの係止部８ｂに、押棒９の先端部に形成した大径部９ａを係止して抜け止め状態に一体としてある。また、操作部材１０の外側に形成した大径部１０ａの後端部を軸筒前方部材３の後部に螺合した連結筒１１の内向きの鍔部１１ａに当接させ、操作部材１０の前端部を軸筒前方部３の内部に圧入および接着して固着させた回転規制部材１２へ当接させることにより、インキ収容部７に対して操作部材１０が前後に動かない状態で回転可能に配設してある。
【００１３】
軸筒２内に形成したインキ収容部７の前方には、ペン芯２０と連通する前方開口部７ａを設けてあり、前方開口部７ａの周縁となるインキ収容部７の前方内面に、インキ収容部７の後方側へ向かって円環状に突出するよう形成した形成した円環壁部７ｂを設け、インキ収容部７の内側面７ｃと円環状壁部７ｂとの間に溝部７ｄを設けてあり、円環壁部７ｂの後方には５個の円柱状の突出部７ｅを突設してある。尚、本実施例の押棒９の前端に形成した大径部９ａは、インキ収容部７の前方開口部７ａの開口巾より巾広で円環壁部７ｂの後方延長線上に合致するよう形成してある。また、移動弁部材８の外面には鍔部８ｃを形成して、移動弁部材８が弾力を持ってインキ収容部７の内側面７ｃを摺動できるようにした。また本実施例では、操作部材１０の回転に伴って押棒９が回転しないように、回転規制部材１２に穿孔した長方形形状の貫通孔１２ａに対して、外形が長方形形状である押棒９を挿通させて回転を規制してある（図３参照）。また、押棒９に形成した雄螺子９ｂは操作部材１０に形成した雌螺子１０ｂと螺合する。
【００１４】
また図１に示すように本実施例の万年筆１は、軸筒後方部材５を回転操作することにより押棒９を前進させ、次いで軸筒後方部材５を逆回転することで移動弁部材８を後退させ、インキ瓶３０内のインキ４０をペン芯２０を介してインキ収容部７内に吸入することができる構造であり、インキ収容部７の内側面７ｃにオイル１０を薄く塗布してあることから、内側面７ｃに対する移動弁部材８の摺動が滑らかなものとなった。また図２に示すように、内側壁７ｃに塗布されたオイル１０は、移動弁部材８の前進に伴って一時的に溝部７ｄでオイル溜り１０ａとなる場合があるが、インキ４０の吸入後に万年筆１を使用している内に、徐々にインキ収容部７の内側面７ｃに戻ることができる構造としてある。
【００１５】
また図２と図４に示すように、インキ収容部７内に残ったインキ４０ａは、構造的に溝部７ｄのオイル溜り１３ａの上に溜りやすくなっているが、図５に示すように、移動弁部材８の前端が円環壁部７ｂの突出部７ｅに当接して前進が規制された際には、複数の突出部７ｅ間に隙間部１４が形成されることから、隙間部１４をインキ排出路１４ａとして、溝部７ｄに残ったインキ４０ａをペン芯２０側に排出させることができる。図６は図５の状態を後方から見た時の図であり、図５に示した移動弁部材８に押し出されたインキ４０ａが、インキ収容部の前方開口部７ａ側に流出していく状態を概念的に示している。
【比較例】
【００１６】
図７と図８は比較例の万年筆を表わす図であるが、図７に示すように万年筆３００は、円環壁部７ｂの後方が平坦になっていることが、図１に示した万年筆１と異なる点である。比較例の万年筆３００では、移動弁部材８が円環壁部７ｂの後端に均一に当接して弾性変形することから、溝部７ｄに残ったインキ４０ａの逃げ場がなくなり、移動弁部材８の鍔部８ｃを通り抜けて、後方に移動してしまう。この状態で使用を続けると、図８に示すように、移動弁部材８の後方の内側壁７ｃにインキ４０ａが付着して、透明な軸筒前方部材３を透してインキ４０ａが見えて、見栄えが悪くなってしまった。
【実施例２】
【００１７】
図９および図１０に、実施例２の万年筆１ａの要部を示す。実施例２の万年筆１ａは、実施例１の円環壁部７ｂに形成した複数の突出部７ｅ（図２参照）の替りに、移動弁部材８の前方に複数形成した凹部８ｄに、樹脂成形した複数の円柱部材１５を嵌着してある。実施例２の万年筆１ａでは、図１０に示すように、複数の円柱部材１５間に隙間部１４が形成されることから、隙間部１４をインキ排出路１４ａとして、溝部７ｄに残ったインキ４０ａをペン芯２０側に排出させることができる。
【実施例３】
【００１８】
図１１および図１２に、実施例３の万年筆１ｂの要部を示す。実施例３の万年筆１ｂは、実施例１の円環壁部７ｂに形成した複数の突出部７ｅ（図２参照）の替りに、円環壁部７ｂの後端部を傾斜面７ｇとして突出部７ｈを形成してある。
実施例３の万年筆１ｂでは、図１２に示すように、複数の円柱部材１２間に隙間部１４が形成されることから、隙間部１４をインキ排出路１４ａとして、溝部７ｄに残ったインキ４０ａをペン芯２０側に排出させることができる。
【産業上の利用可能性】
【００１９】
本発明の構造は、万年筆以外のマーキングペンや水性ボールペンなどの筆記具に採用することも可能である。
【符号の説明】
【００２０】
１，１ａ，１ｂ…万年筆、２…軸筒、２０…ペン芯、２１…ペン先、
３…軸筒前方部材、４…連結部材、５…軸筒後方部材、
６…インキ吸入機構、
７…インキ収容部、７ａ…前方開口部、７ｂ…円環壁部、
７ｃ…内側面、７ｄ…溝部、７ｅ…円柱状の突出部、７ｆ…突出部、
７ｇ…傾斜面、７ｈ…突出部、
８…移動弁部材、８ａ…装着孔、８ｂ…係止部、８ｃ…鍔部、
８ｄ…凹部、
９…押棒、９ａ…大径部、９ｂ…雄螺子、
１０…操作部材、１０ａ…大径部、１０ｂ…雌螺子、
１１…連結筒、１１ａ…鍔部、
１２…回転規制部材、１２ａ…貫通孔、
１３…オイル、１３ａ…オイル溜り、
１４…隙間部、１４ａ…インキ排出路、
１５…円柱部材、
４０，４０ａ…インキ。
【図１】
0005466122.tif 000002
【図２】
0005466122.tif 000003
【図３】
0005466122.tif 000004
【図４】
0005466122.tif 000005
【図５】
0005466122.tif 000006
【図６】
0005466122.tif 000007
【図７】
0005466122.tif 000008
【図８】
0005466122.tif 000009
【図９】
0005466122.tif 000010
【図１０】
0005466122.tif 000011
【図１１】
0005466122.tif 000012
【図１２】
0005466122.tif 000013
【図１３】
0005466122.tif 000014
【図１４】
0005466122.tif 000015
【図１５】
0005466122.tif 000016
【図１６】
0005466122.tif 000017